(57)【要約】【課題】人体を突き刺す虞がなく、製造が容易な輪針を提供する。【解決手段】二つの棒針部２と、棒針部２の後端同士を繋ぐ紐状の連結条部３と、を備えた輪針１において、棒針部２は、少なくともその先頭部５が人体に突き刺さることなく可撓変形する合成樹脂で形成され、連結条部３は、前記合成樹脂で棒針部２と一体成形される。【選択図】  図１
2013199724.tif 000002
【特許請求の範囲】
【請求項１】
二つの棒針部と、
前記棒針部の後端同士を繋ぐ紐状の連結条部と、
を備えた輪針において
前記棒針部は、少なくともその先頭部が人体に突き刺さることなく可撓変形する合成樹脂で形成され、
前記連結条部は、前記合成樹脂で前記棒針部と一体成形された
ことを特徴とする輪針。
【請求項２】
請求項１に記載の輪針において
前記合成樹脂は、ポリエチレン、ポリプロピレン、ポリスチレン、又はポリ塩化ビニルである
ことを特徴とする輪針。
【請求項３】
請求項１から２のいずれか一つに記載の輪針において
前記連結条部の外径は前記棒針部の外径より小さく、
前記棒針部の外径が前記連結条部の外径に縮径される縮径部を備えた
ことを特徴とする輪針。
【発明の詳細な説明】
【技術分野】
【０００１】
本発明は、編み物を編むときに使用される輪針に関する。
【背景技術】
【０００２】
毛糸を円筒状に編む（以下、輪編みという。）ための道具として輪針がある。輪針とは、二つの棒針の後端を紐状の連結条で繋いだ針である。従来の輪針は、棒針部の材料として竹や木材など竹木を主とする硬質の材料（以下、竹等と略す）が選択され、連結条部の材料として主に合成樹脂が選択されていた（非特許文献１参照）。
【先行技術文献】
【非特許文献】
【０００３】
【非特許文献１】ハマナカ株式会社、“アミアミ輪針”、[online]、2011年、ハマナカ株式会社、[平成24年2月7日検索]、インターネット       <URL:http://www.hamanaka.co.jp/goods/knit#tool/amiami/wabari.html>
【発明の概要】
【発明が解決しようとする課題】
【０００４】
しかしながら、上記従来の技術では、以下のような課題があった。
【０００５】
まず、棒針部は、編む際に毛糸の目を拾いやすくするため、その先端部がテーパ状に縮径されている。棒針部の針軸が太い場合、この縮径は特に顕著である。従って、棒針部の材料として竹等を選択した場合には、該先端部が人体に突き刺さる虞があった。特に、年齢の低い子供が使用するには危険性を伴うといった問題があった。
【０００６】
さらに、上記従来技術では、棒針部と連結条部とが異部材であるため、輪針の製造において両者を接続する工程を必要とし、そのことが製造の手間やコストの面で課題となっていた。
【０００７】
上記課題に鑑み、本発明の解決しようとする課題は、安全性が高く、製造が容易で製造コストがかからない輪針を提供することである。
【課題を解決するための手段】
【０００８】
上記課題を解決するため、本発明に係る輪針は、二つの棒針部と、前記棒針部の後端同士を繋ぐ紐状の連結条部と、を備えた輪針において、前記棒針部は、少なくともその先頭部が人体に突き刺さることなく可撓変形する合成樹脂で形成され、前記連結条部は、前記合成樹脂で前記棒針部と一体成形されたことを特徴とする。
【０００９】
この特定事項により、本発明に係る輪針は、棒針部の先端が誤って人体に強く当たるようなことがあっても、棒針部は可撓変形する合成樹脂で形成されているため、人体に突き刺さる虞がなくなる。また、棒針部の材料が合成樹脂であり、棒針部に反りが発生する虞がない。さらに、棒針部と連結条部とは、合成樹脂で一体成形されるため、棒針部と連結条部とを接続する工程が不要になり、輪針の製造が容易で製造コストを低減できる。
【００１０】
また、前記合成樹脂は、ポリエチレン、ポリプロピレン、ポリスチレン、又はポリ塩化ビニルであってもよい。
【００１１】
この場合、これらの素材は安価であるため、輪針の製造にかかるコストを抑えることができる。
【００１２】
また、前記輪針は、前記連結条部の外径が前記棒針部の外径より小さく、前記棒針部の外径が前記連結条部の外径に縮径される縮径部を備えたものであってもよい。
【００１３】
この場合、棒針部の後端部から連結条部の端部に向かうにしたがい当該部分の撓みにくさが漸減するので、該輪針は棒針部の後端付近において適度の腰（曲がりにくさ）を有する。そのため、棒針部の後端部と連結条部の端部とで鋭角を形成する虞がなく、使用者は棒針部で編んだ毛糸を連結条部へ滑らかに送ることができる。
【発明の効果】
【００１４】
本発明に係る輪針は、人体に突き刺さる虞がなく安全性が高い。その上、製造が容易である。
【図面の簡単な説明】
【００１５】
【図１】本発明に係る輪針の一実施形態を示す正面図である。
【図２】図１におけるＡ部分の拡大図である。
【発明を実施するための形態】
【００１６】
以下、本発明の一実施の形態について、図１及び図２を参照して説明する。
【００１７】
図１は、本発明に係る輪針の一実施形態を示す正面図である。図２は、図１におけるＡ部分の拡大図である。
【００１８】
−輪針の構成−
輪針１は、図１に示すように、二つの棒針部２と、棒針部２の後端同士を繋ぐ紐状の連結条部３とを備えている。
【００１９】
棒針部２は、先端から順に先頭部５、中間部６、縮径部４を備えている。棒針部２は、その先頭部５が人体に突き当たったとしても人体に突き刺さることなく可撓変形するポリエチレンで形成されている。可撓変形する部位は、先頭部５だけでもよいが、中間部６まで含まれていてもよい。
【００２０】
先頭部５は、その先端部が、例えば、外径２ｍｍ程度の半球面とされ、先端部の外径を中間部６の外径にまで拡径する、例えば、長さが２０ｍｍ程度のテーパ面を備えている。
【００２１】
中間部６は、例えば、外径が５．１ｍｍ、長さが６０ｍｍ程度の円柱状とされている。
【００２２】
縮径部４は、図２に示すように、棒針部２の外径が連結条部３の外径にまで縮径されている。縮径部４は、例えば、長さが２０ｍｍ程度とされ、連結条部３と隣接する部分４１において、連結条部３に近づくにしたがい傾きが緩やかに減少するテーパをなしている。
【００２３】
この縮径部４により、棒針部２の後端部から連結条部３の端に向かうにしたがい撓みにくさが漸減するので、輪針１は棒針部２の後端付近において適度の腰（曲がりにくさ）を有する。そのため、棒針部２の後端部と連結条部３の端部とで鋭角を形成する虞がなく、使用者は棒針部２で編んだ毛糸を連結条部３へ滑らかに送ることができる。
【００２４】
連結条部３は、合成樹脂から成形されており、後述するように、棒針部２と一体成形されている。この連結条部３は、例えば、外径が２ｍｍ、長さが３００ｍｍ程度の紐状とされている。このように、連結条部３は、棒針部２と一体成形されるため、棒針部２と連結条部３とを接続する工程が不要になり、輪針１の製造が簡単になる。また、連結条部３は棒針部２と一体成形されるため、棒針部２の後端と連結条部３の端との境目で棒針部２の腰が折れてしまう虞がない。
【００２５】
棒針部２と連結条部３とが一体成形された輪針１は、図１に示すように、外力が加わらない状態において、連結条部３が円弧状をなし、連結条部３の両端に設けられた二つの棒針部２がハの字をなす。このように、棒針部２の先端は自然に接近するため、使用者は編む際に力む必要がなく、編み物が容易となる。
【００２６】
−輪針の製法−
輪針１は、輪針１の金型を作成しその金型に樹脂を注入する射出成形法により一体成形する。これにより、輪針１を容易に量産でき、製造コストを抑えることができる。
【００２７】
−輪針の使用法−
輪針１は、輪編みだけでなく平たい編地を編む平編みにも使用できる。
【００２８】
輪針１を使用して一方向にのみ編み進めると、筒状の編地ができる。これにより、帽子やネックウォーマー等を編むことができる。
【００２９】
輪針１を使用して往復に編むと、輪針１の長さを限度とした平たい編地ができる。これにより、マフラー等を編むことができる。
【００３０】
輪針１は、２本の棒針が連結しているため、編むことを中断した場合であっても棒針がバラバラになる虞がない。したがって移動する際の車中で編むときなどに便利である。
【００３１】
−輪針の効果−
このような輪針１は、ポリエチレンで成形されているため適度な可撓性を得られることから、人体に当たった場合に容易に変形し人体に突き刺さる虞がなく安全性が高いとともに、外力にも湿気にも強い。その上、一体成形されるため製造が容易であり安価に提供できる。また、この輪針１は、その材質がポリエチレンであるため、従来の竹等に比べて毛糸のすべりはあまり良くないが、逆にそのことが子供や初心者にとっては編み目を落とすことなく編めるという利点となる。
【００３２】
−他の実施形態−
なお、上記実施形態では、輪針１はポリエチレンで成形されていたが、これに限られず、ポリプロピレン、ポリスチレン、又はポリ塩化ビニル等の合成樹脂で成形されていてもよい。これらの場合、これらの素材は安価であるため、輪針の製造にかかるコストを抑えることができる。
【００３３】
なお、棒針部２の中間部６は、棒針としての使用に足る剛性を備えた、外径が５．１ｍｍ（１０号）、５．７ｍｍ（１２号）、６．６ｍｍ（１５号）、８．０ｍｍ程度のものが好適である。これらは、極太〜超極太タイプの糸を編むのに用いられる。ただし、棒針部２は、上記したような長さ、外径、及びテーパ角のものに限られず、輪針として使用し易い長さ、外径、及びテーパ角のものであればよい。さらに、棒針部２は、上記の形状に限られず、例えば、先頭部５が円柱状のものや、先頭部５にフックが設けられたものであってもよい。
【００３４】
また、連結条部３は、上記したような長さ、太さのものに限られず、輪針として使用し易い長さ、外径のものであればよい。連結条部３の横断面は、円形に限られず、例えば、楕円形でもよい。
【符号の説明】
【００３５】
１  輪針
２  棒針部
３  連結条部
４  縮径部
５  先頭部
【図１】
2013199724.tif 000003
【図２】
2013199724.tif 000004